(57)【要約】【課題】受注情報が変更された場合、その変更を直ちに納品予定情報に反映することが可能な情報処理装置を提供すること。【解決手段】この装置３０は、受注した物品の数を表す受注数情報とその物品の納品が要求される時期を表す納品要求時期情報とを含む受注情報を受け付ける。装置３０は、納品が可能な物品の数を表す納品可能数情報とその物品の納品が可能となる時期を表す納品可能時期情報とを含む納品可能情報を受け付ける。装置３０は、受注情報に含まれる受注数情報が表す数の物品のそれぞれに対して、その物品が納品される時期を表す納品予定情報を、受注情報と納品可能情報とに基づいて生成する納品予定情報生成処理を行う。装置３０は、受注情報を変更するための変更情報を受け付ける毎に、受注情報と納品可能情報と変更情報とに基づいて納品予定情報生成処理を実行する。【選択図】図１１
2010079762.tif 000002
【特許請求の範囲】
【請求項１】
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
前記受け付けられた受注情報に含まれる受注数情報が表す数の物品のそれぞれに対して、その物品が納品される時期を表す納品予定情報を、前記受け付けられた受注情報と、前記受け付けられた納品可能情報と、に基づいて生成する納品予定情報生成処理を行う納品予定情報生成処理実行手段と、
前記受注情報を変更するための変更情報を受け付ける変更情報受付手段と、
を備えるとともに、
前記納品予定情報生成処理実行手段は、前記変更情報が受け付けられる毎に、前記受け付けられた受注情報と、前記受け付けられた納品可能情報と、当該受け付けられた変更情報と、に基づいて前記納品予定情報生成処理を実行するように構成された情報処理装置。
【請求項２】
請求項１に記載の情報処理装置であって、
前記納品予定情報生成処理実行手段は、
前記受け付けられた受注情報に含まれる納品要求時期情報が表す時期が早くなるほど、その受注情報に対して生成される納品予定情報がより早い時期を表すように前記納品予定情報生成処理を行う情報処理装置。
【請求項３】
請求項１又は請求項２に記載の情報処理装置であって、
前記納品予定情報生成処理実行手段は、
前記受け付けられた受注情報に含まれる納品要求時期情報を有する生成処理用受注情報を当該受注情報に含まれる受注数情報が表す数だけ生成するとともに、前記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより前記納品予定情報生成処理を実行するように構成された情報処理装置。
【請求項４】
請求項１乃至請求項３のいずれか一項に記載の情報処理装置であって、
前記生成された納品予定情報を納品ユーザ側の納品側端末装置へ送信する納品予定情報送信手段を備える情報処理装置。
【請求項５】
請求項２乃至請求項４のいずれか一項に記載の情報処理装置であって、
前記納品予定情報生成処理実行手段は、
前記生成処理用納品可能情報と対応付けられていない前記生成処理用受注情報が存在する場合、納品されるべき物品が不足している旨を表す警告情報を生成するように構成された情報処理装置。
【請求項６】
請求項２乃至請求項５のいずれか一項に記載の情報処理装置であって、
前記納品予定情報生成処理実行手段は、
前記生成処理用受注情報に含まれる納品要求時期情報が表す時期が、当該生成処理用受注情報と対応付けられた前記生成処理用納品可能情報に含まれる納品可能時期情報が表す時期よりも早い場合、納品が要求された時期までに納品できない旨を表す警告情報を生成するように構成された情報処理装置。
【請求項７】
請求項１乃至請求項６のいずれか一項に記載の情報処理装置であって、
前記変更情報は、前記納品要求時期情報を変更するための情報、及び、前記受注数情報を変更するための情報、の少なくとも１つを含む情報処理装置。
【請求項８】
請求項１乃至請求項７のいずれか一項に記載の情報処理装置であって、
前記変更情報の候補としての変更候補情報を納品ユーザ側の納品側端末装置から受信する変更候補情報受信手段と、
前記受信された変更候補情報を受注ユーザ側の受注側端末装置へ送信する変更候補情報送信手段と、を備えるとともに、
前記変更情報受付手段は、
前記送信した変更候補情報の中から前記受注ユーザにより選択された選択情報を前記受注側端末装置から受信し、当該受信した選択情報を前記変更情報として受け付けるように構成された情報処理装置。
【請求項９】
請求項８に記載の情報処理装置であって、
前記変更候補情報は、前記納品要求時期情報を変更するための情報、及び、前記受注数情報を変更するための情報のうちの少なくとも１つと対応付けられた情報であって、前記物品の価格を表す情報である価格情報を含む情報処理装置。
【請求項１０】
受注側端末装置と、納品側端末装置と、サーバ装置と、を含む情報処理システムであって、
前記受注側端末装置は、
受注した物品の数を表す受注数情報と、その物品の納品が要求される時期を表す納品要求時期情報と、を含む受注情報を前記サーバ装置へ送信する受注情報送信手段と、
物品が納品される時期を表す納品予定情報を前記サーバ装置から受信する納品予定情報受信手段と、
前記受信された納品予定情報を出力する納品予定情報出力手段と、
前記受注情報を変更するための変更情報を前記サーバ装置へ送信する変更情報送信手段と、を備え、
前記納品側端末装置は、
納品が可能な物品の数を表す納品可能数情報と、その物品の納品が可能となる時期を表す納品可能時期情報と、を含む納品可能情報を前記サーバ装置へ送信する納品可能情報送信手段と、
前記納品予定情報を前記サーバ装置から受信する納品予定情報受信手段と、
前記受信された納品予定情報を出力する納品予定情報出力手段と、を備え、
前記サーバ装置は、
前記受注側端末装置により送信された前記受注情報を受信することにより当該受注情報を受け付ける受注情報受付手段と、
前記納品側端末装置により送信された前記納品可能情報を受信することにより当該納品可能情報を受け付ける納品可能情報受付手段と、
前記受け付けられた受注情報に含まれる受注数情報が表す数の物品のそれぞれに対して、その物品が納品される時期を表す納品予定情報を、前記受け付けられた受注情報と、前記受け付けられた納品可能情報と、に基づいて生成する納品予定情報生成処理を行う納品予定情報生成処理実行手段と、
前記生成された納品予定情報を前記受注側端末装置及び前記納品側端末装置のそれぞれへ送信する納品予定情報送信手段と、
前記受注側端末装置により送信された前記変更情報を受信することにより当該変更情報を受け付ける変更情報受付手段と、
を備え、
前記納品予定情報生成処理実行手段は、前記変更情報が受け付けられる毎に、前記受け付けられた受注情報と、前記受け付けられた納品可能情報と、当該受け付けられた変更情報と、に基づいて前記納品予定情報生成処理を実行するように構成された情報処理システム。
【請求項１１】
請求項１０に記載の情報処理システムであって、
前記納品予定情報生成処理実行手段は、
前記受け付けられた受注情報に含まれる納品要求時期情報が表す時期が早くなるほど、その受注情報に対して生成される納品予定情報がより早い時期を表すように前記納品予定情報生成処理を行う情報処理システム。
【請求項１２】
請求項１０又は請求項１１に記載の情報処理システムであって、
前記納品予定情報生成処理実行手段は、
前記受け付けられた受注情報に含まれる納品要求時期情報を有する生成処理用受注情報を当該受注情報に含まれる受注数情報が表す数だけ生成するとともに、前記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより前記納品予定情報生成処理を実行するように構成された情報処理システム。
【請求項１３】
受注した物品の数を表す受注数情報と、その物品の納品が要求される時期を表す納品要求時期情報と、を含む受注情報を受け付ける受注情報受付工程と、
納品が可能な物品の数を表す納品可能数情報と、その物品の納品が可能となる時期を表す納品可能時期情報と、を含む納品可能情報を受け付ける納品可能情報受付工程と、
前記受け付けられた受注情報に含まれる受注数情報が表す数の物品のそれぞれに対して、その物品が納品される時期を表す納品予定情報を、前記受け付けられた受注情報と、前記受け付けられた納品可能情報と、に基づいて生成する納品予定情報生成処理を行う納品予定情報生成処理実行工程と、
前記受注情報を変更するための変更情報を受け付ける変更情報受付工程と、
を含むとともに、
前記納品予定情報生成処理実行工程は、前記変更情報が受け付けられる毎に、前記受け付けられた受注情報と、前記受け付けられた納品可能情報と、当該受け付けられた変更情報と、に基づいて前記納品予定情報生成処理を実行するように構成された情報処理方法。
【請求項１４】
請求項１３に記載の情報処理方法であって、
前記納品予定情報生成処理実行工程は、
前記受け付けられた受注情報に含まれる納品要求時期情報が表す時期が早くなるほど、その受注情報に対して生成される納品予定情報がより早い時期を表すように前記納品予定情報生成処理を行う情報処理方法。
【請求項１５】
請求項１３又は請求項１４に記載の情報処理方法であって、
前記納品予定情報生成処理実行工程は、
前記受け付けられた受注情報に含まれる納品要求時期情報を有する生成処理用受注情報を当該受注情報に含まれる受注数情報が表す数だけ生成するとともに、前記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより前記納品予定情報生成処理を実行するように構成された情報処理方法。
【請求項１６】
情報処理装置に、
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
前記受け付けられた受注情報に含まれる受注数情報が表す数の物品のそれぞれに対して、その物品が納品される時期を表す納品予定情報を、前記受け付けられた受注情報と、前記受け付けられた納品可能情報と、に基づいて生成する納品予定情報生成処理を行う納品予定情報生成処理実行手段と、
前記受注情報を変更するための変更情報を受け付ける変更情報受付手段と、
を実現させるとともに、
前記納品予定情報生成処理実行手段は、前記変更情報が受け付けられる毎に、前記受け付けられた受注情報と、前記受け付けられた納品可能情報と、当該受け付けられた変更情報と、に基づいて前記納品予定情報生成処理を実行するように構成されたプログラム。
【請求項１７】
請求項１６に記載のプログラムであって、
前記納品予定情報生成処理実行手段は、
前記受け付けられた受注情報に含まれる納品要求時期情報が表す時期が早くなるほど、その受注情報に対して生成される納品予定情報がより早い時期を表すように前記納品予定情報生成処理を行うプログラム。
【請求項１８】
請求項１６又は請求項１７に記載のプログラムであって、
前記納品予定情報生成処理実行手段は、
前記受け付けられた受注情報に含まれる納品要求時期情報を有する生成処理用受注情報を当該受注情報に含まれる受注数情報が表す数だけ生成するとともに、前記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより前記納品予定情報生成処理を実行するように構成されたプログラム。
【発明の詳細な説明】
【技術分野】
【０００１】
本発明は、物品を受注し受注した物品を納品する業務を管理するための情報を生成する情報処理装置に関する。
【背景技術】
【０００２】
顧客から物品を受注し、受注した物品の生産を行い、生産が完了した物品を顧客に納品する業務を管理するための情報処理装置が知られている。この種の情報処理装置の１つとして特許文献１に記載の情報処理装置は、受注した物品に関する受注情報と、納品（又は、製造、出荷等）が可能な物品に関する納品可能情報と、に基づいて、受注した数の物品のそれぞれに対して、その物品が納品される時期を表す納品予定情報を生成する。
【０００３】
この情報処理装置により生成された納品予定情報を取得することにより、物品を納品するユーザは、適切な時期にて適切な受注情報に対する物品の納品を行うことができる。
【０００４】
【特許文献１】特開２００６−３３８４０７号公報
【発明の開示】
【発明が解決しようとする課題】
【０００５】
ところで、図１に示したように、物品の納品が要求される時期である納品要求時期が異なる２つの案件（案件Ａ及び案件Ｂ）が存在する状態において、納品要求時期が物品の生産に要する期間（生産開始から生産完了までの期間）よりも短い期間だけ後の時期に変更される場合がある。この場合、その変更を受け付けてから、その注文に対して物品を生産しても、納品要求時期までに物品を納品することはできない。
【０００６】
ところで、この場合、既に受注していた案件Ａに対して生産していた物品を、案件Ｂに対して納品し、その後、生産が完了した物品を案件Ａに対して納品することにより、案件Ａの納品要求時期、及び、案件Ｂの納品要求時期の両方を満足することができる。
【０００７】
しかしながら、上記情報処理装置においては、受注情報が変更されても（例えば、案件Ｂの注文が発生した場合、受注した物品の数が変更された場合、又は、納品要求時期が変更された場合）、その変更が直ちに納品予定情報に反映されない。従って、上記情報処理装置によれば、ユーザが、適切な時期に適切な受注情報に対する物品の納品を行うことができない場合が生じるという問題があった。
【０００８】
このため、本発明の目的は、上述した課題である「受注情報が変更されても、その変更が直ちに納品予定情報に反映されないこと」を解決することが可能な情報処理装置を提供することにある。
【課題を解決するための手段】
【０００９】
かかる目的を達成するため本発明の一形態である情報処理装置は、
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記受注情報を変更するための変更情報を受け付ける変更情報受付手段と、
を備える。
【００１０】
更に、上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００１１】
また、本発明の他の形態である情報処理システムは、受注側端末装置と、納品側端末装置と、サーバ装置と、を含むシステムである。
【００１２】
更に、上記受注側端末装置は、
受注した物品の数を表す受注数情報と、その物品の納品が要求される時期を表す納品要求時期情報と、を含む受注情報を上記サーバ装置へ送信する受注情報送信手段と、
物品が納品される時期を表す納品予定情報を上記サーバ装置から受信する納品予定情報受信手段と、
上記受信された納品予定情報を出力する納品予定情報出力手段と、
上記受注情報を変更するための変更情報を上記サーバ装置へ送信する変更情報送信手段と、を備える。
【００１３】
加えて、上記納品側端末装置は、
納品が可能な物品の数を表す納品可能数情報と、その物品の納品が可能となる時期を表す納品可能時期情報と、を含む納品可能情報を上記サーバ装置へ送信する納品可能情報送信手段と、
上記納品予定情報を上記サーバ装置から受信する納品予定情報受信手段と、
上記受信された納品予定情報を出力する納品予定情報出力手段と、を備える。
【００１４】
更に、上記サーバ装置は、
上記受注側端末装置により送信された上記受注情報を受信することにより当該受注情報を受け付ける受注情報受付手段と、
上記納品側端末装置により送信された上記納品可能情報を受信することにより当該納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記生成された納品予定情報を上記受注側端末装置及び上記納品側端末装置のそれぞれへ送信する納品予定情報送信手段と、
上記受注側端末装置により送信された上記変更情報を受信することにより当該変更情報を受け付ける変更情報受付手段と、
を備える。
【００１５】
加えて、上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００１６】
また、本発明の他の形態である情報処理方法は、
受注した物品の数を表す受注数情報と、その物品の納品が要求される時期を表す納品要求時期情報と、を含む受注情報を受け付ける受注情報受付工程と、
納品が可能な物品の数を表す納品可能数情報と、その物品の納品が可能となる時期を表す納品可能時期情報と、を含む納品可能情報を受け付ける納品可能情報受付工程と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行工程と、
上記受注情報を変更するための変更情報を受け付ける変更情報受付工程と、
を含む。
【００１７】
更に、上記納品予定情報生成処理実行工程は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００１８】
また、本発明の他の形態であるプログラムは、
情報処理装置に、
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記受注情報を変更するための変更情報を受け付ける変更情報受付手段と、
を実現させるとともに、
上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【発明の効果】
【００１９】
本発明は、以上のように構成されることにより、受注情報が変更された場合、その変更を直ちに納品予定情報に反映することができる。
【発明を実施するための最良の形態】
【００２０】
本発明の一形態である情報処理装置は、
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記受注情報を変更するための変更情報を受け付ける変更情報受付手段と、
を備える。
【００２１】
更に、上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００２２】
これによれば、情報処理装置は、受注情報を変更するための変更情報を受け付けた場合、直ちに納品予定情報生成処理を実行する。これにより、最新の受注情報を納品予定情報に反映することができる。この結果、受注情報が変更された場合であっても、その変更を直ちに納品予定情報に反映することができる。
【００２３】
この場合、上記納品予定情報生成処理実行手段は、
上記受け付けられた受注情報に含まれる納品要求時期情報が表す時期が早くなるほど、その受注情報に対して生成される納品予定情報がより早い時期を表すように上記納品予定情報生成処理を行う手段であることが好適である。
【００２４】
これによれば、納品要求時期を満足しながら受注情報に対して物品が納品される可能性を高めることができる。
【００２５】
この場合、上記納品予定情報生成処理実行手段は、
上記受け付けられた受注情報に含まれる納品要求時期情報を有する生成処理用受注情報を当該受注情報に含まれる受注数情報が表す数だけ生成するとともに、上記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより上記納品予定情報生成処理を実行するように構成されることが好適である。
【００２６】
この場合、上記情報処理装置は、
上記生成された納品予定情報を納品ユーザ側の納品側端末装置へ送信する納品予定情報送信手段を備えることが好適である。
【００２７】
これによれば、納品側端末装置のユーザ（納品ユーザ）に、納品予定情報が表す時期を認識させることができる。この結果、納品ユーザは、その時期に応じて迅速に行動することができる。
【００２８】
この場合、上記納品予定情報生成処理実行手段は、
上記生成処理用納品可能情報と対応付けられていない上記生成処理用受注情報が存在する場合、納品されるべき物品が不足している旨を表す警告情報を生成するように構成されることが好適である。
【００２９】
これによれば、納品されるべき物品が不足している旨をユーザに認識させることができる。この結果、ユーザは、その旨に応じて迅速に行動することができる。
【００３０】
この場合、上記納品予定情報生成処理実行手段は、
上記生成処理用受注情報に含まれる納品要求時期情報が表す時期が、当該生成処理用受注情報と対応付けられた上記生成処理用納品可能情報に含まれる納品可能時期情報が表す時期よりも早い場合、納品が要求された時期までに納品できない旨を表す警告情報を生成するように構成されることが好適である。
【００３１】
これによれば、納品が要求された時期までに納品できない旨をユーザに認識させることができる。この結果、ユーザは、その旨に応じて迅速に行動することができる。
【００３２】
この場合、
上記変更情報は、上記納品要求時期情報を変更するための情報、及び、上記受注数情報を変更するための情報、の少なくとも１つを含むことが好適である。
【００３３】
この場合、
上記情報処理装置は、
上記変更情報の候補としての変更候補情報を納品ユーザ側の納品側端末装置から受信する変更候補情報受信手段と、
上記受信された変更候補情報を受注ユーザ側の受注側端末装置へ送信する変更候補情報送信手段と、を備えるとともに、
上記変更情報受付手段は、
上記送信した変更候補情報の中から上記受注ユーザにより選択された選択情報を上記受注側端末装置から受信し、当該受信した選択情報を上記変更情報として受け付けるように構成されることが好適である。
【００３４】
これによれば、納品側端末装置のユーザ（納品ユーザ）が設定した変更情報の候補の範囲内にて、受注側端末装置のユーザ（受注ユーザ）に受注情報を変更させることができる。即ち、納品ユーザが物品を納品可能な範囲内に、受注情報の変更を制限することができる。
【００３５】
この場合、
上記変更候補情報は、上記納品要求時期情報を変更するための情報、及び、上記受注数情報を変更するための情報のうちの少なくとも１つと対応付けられた情報であって、上記物品の価格を表す情報である価格情報を含むことが好適である。
【００３６】
これによれば、納品ユーザは、受注情報の変更内容に応じた価格情報を受注ユーザに提示することができる。この結果、納品ユーザの利便性を向上させることができる。
【００３７】
また、本発明の他の形態である情報処理システムは、受注側端末装置と、納品側端末装置と、サーバ装置と、を含むシステムである。
【００３８】
更に、上記受注側端末装置は、
受注した物品の数を表す受注数情報と、その物品の納品が要求される時期を表す納品要求時期情報と、を含む受注情報を上記サーバ装置へ送信する受注情報送信手段と、
物品が納品される時期を表す納品予定情報を上記サーバ装置から受信する納品予定情報受信手段と、
上記受信された納品予定情報を出力する納品予定情報出力手段と、
上記受注情報を変更するための変更情報を上記サーバ装置へ送信する変更情報送信手段と、を備える。
【００３９】
加えて、上記納品側端末装置は、
納品が可能な物品の数を表す納品可能数情報と、その物品の納品が可能となる時期を表す納品可能時期情報と、を含む納品可能情報を上記サーバ装置へ送信する納品可能情報送信手段と、
上記納品予定情報を上記サーバ装置から受信する納品予定情報受信手段と、
上記受信された納品予定情報を出力する納品予定情報出力手段と、を備える。
【００４０】
更に、上記サーバ装置は、
上記受注側端末装置により送信された上記受注情報を受信することにより当該受注情報を受け付ける受注情報受付手段と、
上記納品側端末装置により送信された上記納品可能情報を受信することにより当該納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記生成された納品予定情報を上記受注側端末装置及び上記納品側端末装置のそれぞれへ送信する納品予定情報送信手段と、
上記受注側端末装置により送信された上記変更情報を受信することにより当該変更情報を受け付ける変更情報受付手段と、
を備える。
【００４１】
加えて、上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００４２】
この場合、上記納品予定情報生成処理実行手段は、
上記受け付けられた受注情報に含まれる納品要求時期情報が表す時期が早くなるほど、その受注情報に対して生成される納品予定情報がより早い時期を表すように上記納品予定情報生成処理を行う手段であることが好適である。
【００４３】
この場合、上記納品予定情報生成処理実行手段は、
上記受け付けられた受注情報に含まれる納品要求時期情報を有する生成処理用受注情報を当該受注情報に含まれる受注数情報が表す数だけ生成するとともに、上記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより上記納品予定情報生成処理を実行するように構成されることが好適である。
【００４４】
また、本発明の他の形態である情報処理方法は、
受注した物品の数を表す受注数情報と、その物品の納品が要求される時期を表す納品要求時期情報と、を含む受注情報を受け付ける受注情報受付工程と、
納品が可能な物品の数を表す納品可能数情報と、その物品の納品が可能となる時期を表す納品可能時期情報と、を含む納品可能情報を受け付ける納品可能情報受付工程と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行工程と、
上記受注情報を変更するための変更情報を受け付ける変更情報受付工程と、
を含む。
【００４５】
更に、上記納品予定情報生成処理実行工程は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００４６】
この場合、上記納品予定情報生成処理実行工程は、
上記受け付けられた受注情報に含まれる納品要求時期情報が表す時期が早くなるほど、その受注情報に対して生成される納品予定情報がより早い時期を表すように上記納品予定情報生成処理を行う工程であることが好適である。
【００４７】
この場合、上記納品予定情報生成処理実行工程は、
上記受け付けられた受注情報に含まれる納品要求時期情報を有する生成処理用受注情報を当該受注情報に含まれる受注数情報が表す数だけ生成するとともに、上記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより上記納品予定情報生成処理を実行するように構成されることが好適である。
【００４８】
また、本発明の他の形態であるプログラムは、
情報処理装置に、
受注した物品の数を表す受注数情報と、その物品の納品が要求される時期を表す納品要求時期情報と、を含む受注情報を受け付ける受注情報受付手段と、
納品が可能な物品の数を表す納品可能数情報と、その物品の納品が可能となる時期を表す納品可能時期情報と、を含む納品可能情報を受け付ける納品可能情報受付手段と、
上記受け付けられた受注情報に含まれる受注数情報が表す数の物品のそれぞれに対して、その物品が納品される時期を表す納品予定情報を、上記受け付けられた受注情報と、上記受け付けられた納品可能情報と、に基づいて生成する納品予定情報生成処理を行う納品予定情報生成処理実行手段と、
上記受注情報を変更するための変更情報を受け付ける変更情報受付手段と、
を実現させるとともに、
上記納品予定情報生成処理実行手段は、上記変更情報が受け付けられる毎に、上記受け付けられた受注情報と、上記受け付けられた納品可能情報と、当該受け付けられた変更情報と、に基づいて上記納品予定情報生成処理を実行するように構成される。
【００４９】
この場合、上記納品予定情報生成処理実行手段は、
上記受け付けられた受注情報に含まれる納品要求時期情報が表す時期が早くなるほど、その受注情報に対して生成される納品予定情報がより早い時期を表すように上記納品予定情報生成処理を行う手段であることが好適である。
【００５０】
この場合、上記納品予定情報生成処理実行手段は、
上記受け付けられた受注情報に含まれる納品要求時期情報を有する生成処理用受注情報を当該受注情報に含まれる受注数情報が表す数だけ生成するとともに、上記受け付けられた納品可能情報に含まれる納品可能時期情報を有する生成処理用納品可能情報を当該納品可能情報に含まれる納品可能数情報が表す数だけ生成し、且つ、当該生成した生成処理用受注情報を納品要求時期情報が表す時期が早くなるほど先頭側に位置するように並び替えるとともに、当該生成した生成処理用納品可能情報を納品可能時期情報が表す時期が早くなるほど先頭側に位置するように並び替え、更に、先頭側から１つずつ順に当該生成処理用受注情報と当該生成処理用納品可能情報とを対応付けることにより上記納品予定情報生成処理を実行するように構成されることが好適である。
【００５１】
上述した構成を有する、情報処理システム、情報処理方法、又は、プログラム、の発明であっても、上記情報処理装置と同様の作用を有するために、上述した本発明の目的を達成することができる。
【００５２】
以下、本発明に係る、情報処理装置、情報処理システム、情報処理方法、及び、プログラム、の実施形態について図１〜図１１を参照しながら説明する。
【００５３】
＜実施形態＞
図２に示したように、実施形態に係る情報処理システム１は、受注側端末装置１０と、納品側端末装置２０と、情報処理装置としてのサーバ装置３０と、を含む。受注側端末装置１０、納品側端末装置２０及びサーバ装置３０は、通信回線（本例では、インターネット）ＮＷを介して、互いに通信可能に接続されている。
【００５４】
受注側端末装置１０は、情報処理端末としてのパーソナル・コンピュータである。受注側端末装置１０は、図示しない中央処理装置（ＣＰＵ；Ｃｅｎｔｒａｌ  Ｐｒｏｃｅｓｓｉｎｇ  Ｕｎｉｔ）、記憶装置（メモリ及びハードディスク駆動装置（ＨＤＤ））、入力装置及び出力装置を備える。
【００５５】
出力装置は、ディスプレイを有する。出力装置は、ＣＰＵから出力された画像情報に基づいて、文字及び図形等からなる画像をディスプレイに表示させる。入力装置は、キーボード及びマウスを有する。受注側端末装置１０は、キーボード及びマウスを介して、ユーザの操作に基づく情報が入力されるように構成されている。
【００５６】
受注側端末装置１０は、記憶装置に記憶されているプログラムをＣＰＵが実行することにより、後述する機能を実現するように構成されている。
納品側端末装置２０は、受注側端末装置１０と同様の構成を有する。
【００５７】
サーバ装置３０は、受注側端末装置１０と同様に、図示しないＣＰＵ及び記憶装置を備える。サーバ装置３０は、受注側端末装置１０と同様に、記憶装置に記憶されているプログラムをＣＰＵが実行することにより、後述する機能を実現するように構成されている。
【００５８】
図３は、上記のように構成された情報処理システム１の機能を表すブロック図である。この機能は、サーバ装置３０のＣＰＵが後述する図４に示したフローチャートにより表されるプログラム等を実行するとともに、受注側端末装置１０のＣＰＵ及び納品側端末装置２０のＣＰＵが所定のプログラム等を実行することにより、実現される。
【００５９】
受注側端末装置１０の機能は、受注情報送信部（受注情報送信手段）４１と、納品予定情報受信部（納品予定情報受信手段）４２と、納品予定情報出力部（納品予定情報出力手段）４３と、変更候補情報受信部４４と、変更情報送信部（変更情報送信手段）４５と、を含む。
【００６０】
受注情報送信部４１は、受注情報をサーバ装置３０へ送信する。受注情報は、図５の（Ａ）に示したように、案件を特定する案件特定情報と、物品を特定するための物品特定情報と、受注した物品の数（受注数）を表す受注数情報と、その物品の納品が要求される時期（納品要求時期）を表す納品要求時期情報と、を含む。受注情報は、受注側端末装置１０のユーザ（受注ユーザ）により入力装置を介して入力される。
【００６１】
納品予定情報受信部４２は、納品予定情報をサーバ装置３０から受信する。納品予定情報は、図６に示したように、案件特定情報と、物品特定情報と、納品要求時期情報と、納品予定時期情報と、警告情報と、を含む。ここで、納品予定時期情報は、物品が納品される（物品の納品が予定されている）時期（納品予定時期）を表す情報である。また、警告情報は、納品されるべき物品が不足している旨を表す情報（「不足」）、又は、納品が要求された時期までに納品できない旨を表す情報（「遅延」）である。
【００６２】
納品予定情報出力部４３は、納品予定情報受信部４２により受信された納品予定情報を出力装置のディスプレイに表示させる（出力する）。
【００６３】
変更候補情報受信部４４は、変更情報の候補としての変更候補情報をサーバ装置３０から受信する。変更情報は、受注情報を変更するための情報である。本例では、変更情報は、納品要求時期情報を変更するための情報、及び、受注数情報を変更するための情報を含む。また、変更候補情報は、図７に示したように、変更情報と、その変更情報に対応付けられた物品の価格を表す情報（価格情報）と、の組を複数含む。価格情報が「ＮＧ」に設定されることは、その価格情報に対応付けられた変更情報に基づく受注情報の変更が禁止されていることを表す。
【００６４】
変更情報送信部４５は、変更候補情報受信部４４により受信された変更候補情報を出力装置のディスプレイに表示させる（出力する）。そして、変更情報送信部４５は、変更候補情報の中から１つの変更情報を選択する選択情報を受け付ける。選択情報は、入力装置を介して受注ユーザにより入力される。変更情報送信部４５は、受け付けた選択情報を変更情報としてサーバ装置３０へ送信する。
【００６５】
納品側端末装置２０の機能は、納品可能情報送信部（納品可能情報送信手段）５１と、納品予定情報受信部（納品予定情報受信手段）５２と、納品予定情報出力部（納品予定情報出力手段）５３と、変更候補情報送信部５４と、を含む。
【００６６】
納品可能情報送信部５１は、納品可能情報をサーバ装置３０へ送信する。納品可能情報は、図５の（Ｂ）に示したように、物品を特定するための物品特定情報と、納品が可能な物品の数（納品可能数）を表す納品可能数情報と、その物品の納品が可能となる時期（納品可能時期）を表す納品可能時期情報と、を含む。納品可能情報は、納品側端末装置２０のユーザ（納品ユーザ）により入力装置を介して入力される。
【００６７】
納品予定情報受信部５２は、納品予定情報受信部４２と同様に、納品予定情報をサーバ装置３０から受信する。納品予定情報出力部５３は、納品予定情報出力部４３と同様に、納品予定情報受信部５２により受信された納品予定情報を出力装置のディスプレイに表示させる（出力する）。
【００６８】
変更候補情報送信部５４は、変更候補情報をサーバ装置３０へ送信する。変更候補情報は、納品ユーザにより入力装置を介して入力される。
【００６９】
サーバ装置３０の機能は、受注情報受付部（受注情報受付手段）６１と、納品可能情報受付部（納品可能情報受付手段）６２と、納品予定情報生成処理実行部（納品予定情報生成処理実行手段）６３と、納品予定情報送信部（納品予定情報送信手段）６４と、変更候補情報受信部（変更候補情報受信手段）６５と、変更候補情報送信部（変更候補情報送信手段）６６と、変更情報受付部（変更情報受付手段）６７と、を含む。
【００７０】
受注情報受付部６１は、受注側端末装置１０により送信された受注情報を受信することにより当該受注情報を受け付ける。納品可能情報受付部６２は、納品側端末装置２０により送信された納品可能情報を受信することにより当該納品可能情報を受け付ける。
【００７１】
納品予定情報生成処理実行部６３は、受注情報受付部６１により受け付けられた受注情報に含まれる物品特定情報により特定される物品であって、その受注情報に含まれる受注数情報が表す数の物品のそれぞれに対して、その物品が納品される時期を表す納品予定情報を生成する納品予定情報生成処理を行う。
【００７２】
具体的には、納品予定情報生成処理実行部６３は、受注情報受付部６１により受け付けられた受注情報に含まれる納品要求時期情報を有する生成処理用受注情報を当該受注情報に含まれる受注数情報が表す数だけ生成する。例えば、納品予定情報生成処理実行部６３は、図５の（Ａ）に示した受注情報から、図８の（Ａ）に示した生成処理用受注情報を生成する。
【００７３】
更に、納品予定情報生成処理実行部６３は、納品可能情報受付部６２により受け付けられた納品可能情報に含まれる納品可能時期情報を有する生成処理用納品可能情報を当該納品可能情報に含まれる納品可能数情報が表す数だけ生成する。例えば、納品予定情報生成処理実行部６３は、図５の（Ｂ）に示した納品可能情報から、図８の（Ｂ）に示した生成処理用納品可能情報を生成する。
【００７４】
即ち、納品予定情報生成処理実行部６３は、受注情報及び納品可能情報に対するレコード分割処理を実行する。
【００７５】
そして、納品予定情報生成処理実行部６３は、生成した生成処理用受注情報を納品要求時期情報が表す時期が早くなるほど先頭側に位置するように並び替える。例えば、納品予定情報生成処理実行部６３は、図８の（Ａ）に示した生成処理用受注情報を、図９の（Ａ）に示したように並び替える。
【００７６】
更に、納品予定情報生成処理実行部６３は、生成した生成処理用納品可能情報を納品可能時期情報が表す時期が早くなるほど先頭側に位置するように並び替える。例えば、納品予定情報生成処理実行部６３は、図８の（Ｂ）に示した生成処理用納品可能情報を、図９の（Ｂ）に示したように並び替える。
即ち、納品予定情報生成処理実行部６３は、並替処理を実行する。
【００７７】
加えて、納品予定情報生成処理実行部６３は、先頭側から１つずつ順に生成処理用受注情報と生成処理用納品可能情報とを対応付ける対応付処理を実行する。このようにして、生成処理用受注情報に含まれる納品要求時期情報が表す時期が早くなるほど、その生成処理用受注情報に対応付けられる生成処理用納品可能情報に含まれる納品可能時期情報がより早い時期を表すように、生成処理用受注情報と生成処理用納品可能情報とが対応付けられる。
【００７８】
即ち、納品予定情報生成処理実行部６３は、受け付けられた受注情報に含まれる納品要求時期情報が表す時期が早くなるほど、その受注情報に対して生成される納品予定情報がより早い時期を表すように納品予定情報生成処理を行う、と言うことができる。
【００７９】
更に、納品予定情報生成処理実行部６３は、生成処理用納品可能情報と対応付けられていない生成処理用受注情報が存在する場合、納品されるべき物品が不足している旨を表す警告情報を生成し、生成した警告情報をその生成処理用受注情報に対して付与する。
【００８０】
同様に、納品予定情報生成処理実行部６３は、生成処理用受注情報に含まれる納品要求時期情報が表す時期が、当該生成処理用受注情報と対応付けられた生成処理用納品可能情報に含まれる納品可能時期情報が表す時期よりも早い場合、納品が要求された時期までに納品できない旨を表す警告情報を生成し、生成した警告情報をその生成処理用受注情報に対して付与する。
即ち、納品予定情報生成処理実行部６３は、警告情報付与処理を実行する。
【００８１】
このようにして、納品予定情報生成処理実行部６３は、納品予定情報生成処理を実行する。これにより、納品予定情報生成処理実行部６３は、図６に示したように、納品予定情報を生成する。
【００８２】
納品予定情報送信部６４は、納品予定情報生成処理実行部６３により生成された納品予定情報を、受注側端末装置１０及び納品側端末装置２０のそれぞれへ送信する。
【００８３】
変更候補情報受信部６５は、納品側端末装置２０により送信された変更候補情報を受信する。変更候補情報送信部６６は、変更候補情報受信部６５により受信された変更候補情報を受注側端末装置１０へ送信する。
変更情報受付部６７は、受注側端末装置１０により送信された変更情報を受信することにより、その変更情報を受け付ける。
【００８４】
更に、納品予定情報生成処理実行部６３は、変更情報受付部６７により変更情報が受け付けられる毎に、既に受け付けられた受注情報と、既に受け付けられた納品可能情報と、当該受け付けられた変更情報と、に基づいて上記納品予定情報生成処理を実行する。
【００８５】
次に、図１０のシーケンス図を参照しながら、上述した情報処理システム１の作動について具体的に述べる。
【００８６】
先ず、受注ユーザは、受注情報を入力装置を介して入力する。これにより、受注側端末装置１０は、受注ユーザが入力した受注情報を受け付けると、受け付けた受注情報をサーバ装置３０へ送信する（ステップＡ１）。
サーバ装置３０は、受注側端末装置１０から受注情報を受信することにより受け付ける（受注情報受付工程）と、受け付けた受注情報を納品側端末装置２０へ送信する（ステップＢ１）。
【００８７】
納品側端末装置２０は、サーバ装置３０から受注情報を受信すると、受信した受注情報を出力装置を介して出力する（ステップＣ１）。納品ユーザは、出力された受注情報に応じて、納品可能情報を入力装置を介して入力する。
【００８８】
これにより、納品側端末装置２０は、納品ユーザが入力した納品可能情報を受け付ける。そして、納品側端末装置２０は、受け付けた納品可能情報をサーバ装置３０へ送信する（ステップＣ２）。
【００８９】
サーバ装置３０は、納品側端末装置２０から納品可能情報を受信することにより受け付ける（納品可能情報受付工程）と、上記受け付けた受注情報と、受け付けた納品可能情報と、に基づいて納品予定情報を生成する（ステップＢ２、納品予定情報生成処理実行工程）。
【００９０】
具体的には、サーバ装置３０のＣＰＵは、図４のフローチャートにより示した生成処理プログラムの実行を、サーバ装置３０が受注情報、納品可能情報、又は、変更情報を受け付ける毎に開始する。
【００９１】
そして、ＣＰＵは、サーバ装置３０が受注情報、及び、納品可能情報の両方を既に受け付けているか否かを判定する（ステップ４０５）。この状態においては、サーバ装置３０は、受注情報、及び、納品可能情報の両方を既に受け付けている。
【００９２】
従って、ＣＰＵは、「Ｙｅｓ」と判定してステップ４１０に進み、受注情報及び納品可能情報に対するレコード分割処理を実行する。これにより、図５の（Ａ）に示した受注情報から、図８の（Ａ）に示した生成処理用受注情報が生成される。更に、図５の（Ｂ）に示した納品可能情報から、図８の（Ｂ）に示した生成処理用納品可能情報が生成される。
【００９３】
次いで、ＣＰＵは、並替処理を実行する（ステップ４１５）。これにより、図８の（Ａ）に示した生成処理用受注情報が、図９の（Ａ）に示したように並び替えられる。更に、図８の（Ｂ）に示した生成処理用納品可能情報が、図９の（Ｂ）に示したように並び替えられる。
【００９４】
そして、ＣＰＵは、対応付処理を実行する（ステップ４２０）。これにより、先頭側から１つずつ順に生成処理用受注情報と生成処理用納品可能情報とが対応付けられる。このようにして、生成処理用受注情報に含まれる納品要求時期情報が表す時期が早くなるほど、その生成処理用受注情報に対応付けられる生成処理用納品可能情報に含まれる納品可能時期情報がより早い時期を表すように、生成処理用受注情報と生成処理用納品可能情報とが対応付けられる。
【００９５】
更に、ＣＰＵは、警告情報付与処理を実行する（ステップ４２５）。このようにして、ＣＰＵは、図６に示した納品予定情報を生成する。そして、この生成処理プログラムの実行を終了する。
【００９６】
なお、ＣＰＵがこの生成処理プログラムの実行を開始した時点にて、受注情報、及び、納品可能情報の少なくとも一方をサーバ装置３０が受け付けていない場合、ＣＰＵは、ステップ４０５にて「Ｎｏ」と判定してこの生成処理プログラムの実行を直ちに終了する。
【００９７】
そして、図１０に示したように、サーバ装置３０は、生成した納品予定情報を受注側端末装置１０及び納品側端末装置２０のそれぞれに送信する（ステップＢ３）。
受注側端末装置１０は、サーバ装置３０から納品予定情報を受信すると、受信した納品予定情報を出力装置を介して出力する（ステップＡ２）。同様に、納品側端末装置２０は、サーバ装置３０から納品予定情報を受信すると、受信した納品予定情報を出力装置を介して出力する（ステップＣ３）。
【００９８】
その後、納品ユーザは、変更候補情報を入力装置を介して入力する。これにより、納品側端末装置２０は、納品ユーザが入力した変更候補情報を受け付けると、受け付けた変更候補情報をサーバ装置３０へ送信する（ステップＣ４）。
サーバ装置３０は、納品側端末装置２０から変更候補情報を受信すると、受信した変更候補情報を受注側端末装置１０へ送信する（ステップＢ４）。
【００９９】
受注側端末装置１０は、サーバ装置３０から変更候補情報を受信すると、受信した変更候補情報を出力装置を介して出力する（ステップＡ３）。受注ユーザは、出力された変更候補情報の中から１つの変更情報を選択する選択情報を入力装置を介して入力する。
【０１００】
受注側端末装置１０は、受注ユーザが入力した選択情報を受け付けると、受け付けた選択情報を変更情報としてサーバ装置３０へ送信する（ステップＡ４）。
【０１０１】
サーバ装置３０は、受注側端末装置１０から変更情報を受信することにより受け付ける（変更情報受付工程）と、上述したように、図４の生成処理プログラムを実行することにより、受け付けた変更情報と、既に受け付けている受注情報と、既に受け付けている納品可能情報と、に基づいて納品予定情報を生成する（ステップＢ５、納品予定情報生成処理実行工程）。
【０１０２】
そして、サーバ装置３０は、生成した納品予定情報を受注側端末装置１０及び納品側端末装置２０のそれぞれに送信する（ステップＢ６）。
受注側端末装置１０は、サーバ装置３０から納品予定情報を受信すると、受信した納品予定情報を出力装置を介して出力する（ステップＡ５）。同様に、納品側端末装置２０は、サーバ装置３０から納品予定情報を受信すると、受信した納品予定情報を出力装置を介して出力する（ステップＣ５）。
【０１０３】
以上、説明したように、本発明による情報処理装置の実施形態によれば、サーバ装置３０は、受注情報を変更するための変更情報を受け付けた場合、直ちに納品予定情報生成処理を実行する。これにより、最新の受注情報を納品予定情報に反映することができる。この結果、受注情報が変更された場合であっても、その変更を直ちに納品予定情報に反映することができる。
【０１０４】
更に、上記実施形態は、受け付けられた受注情報に含まれる納品要求時期情報が表す時期が早くなるほど、その受注情報に対して生成される納品予定情報がより早い時期を表すように納品予定情報生成処理を行う。
これによれば、納品要求時期を満足しながら受注情報に対して物品が納品される可能性を高めることができる。
【０１０５】
加えて、上記実施形態は、生成された納品予定情報を納品ユーザ側の納品側端末装置２０へ送信するように構成されている。
これによれば、納品側端末装置２０のユーザ（納品ユーザ）に、納品予定情報が表す時期を認識させることができる。この結果、納品ユーザは、その時期に応じて迅速に行動することができる。
【０１０６】
更に、上記実施形態は、生成処理用納品可能情報と対応付けられていない生成処理用受注情報が存在する場合、納品されるべき物品が不足している旨を表す警告情報を生成するように構成されている。
これによれば、納品されるべき物品が不足している旨をユーザに認識させることができる。この結果、ユーザは、その旨に応じて迅速に行動することができる。
【０１０７】
加えて、上記実施形態は、生成処理用受注情報に含まれる納品要求時期情報が表す時期が、当該生成処理用受注情報と対応付けられた生成処理用納品可能情報に含まれる納品可能時期情報が表す時期よりも早い場合、納品が要求された時期までに納品できない旨を表す警告情報を生成するように構成されている。
これによれば、納品が要求された時期までに納品できない旨をユーザに認識させることができる。この結果、ユーザは、その旨に応じて迅速に行動することができる。
【０１０８】
更に、上記実施形態においてサーバ装置３０は、納品ユーザが入力した変更候補情報を受注側端末装置１０へ送信し、受注側端末装置１０からその変更候補情報に基づく変更情報を受け付けるように構成されている。
【０１０９】
これによれば、納品側端末装置２０のユーザ（納品ユーザ）が設定した変更情報の候補の範囲内にて、受注側端末装置１０のユーザ（受注ユーザ）に受注情報を変更させることができる。即ち、納品ユーザが物品を納品可能な範囲内に、受注情報の変更を制限することができる。
【０１１０】
加えて、上記実施形態において、変更候補情報は、納品要求時期情報を変更するための情報、及び、受注数情報を変更するための情報と対応付けられた情報であって、物品の価格を表す情報である価格情報を含む。
【０１１１】
これによれば、納品ユーザは、受注情報の変更内容に応じた価格情報を受注ユーザに提示することができる。この結果、納品ユーザの利便性を向上させることができる。
【０１１２】
なお、本発明は上記実施形態に限定されることはなく、本発明の範囲内において種々の変形例を採用することができる。例えば、上記実施形態の変形例においては、納品側端末装置２０とサーバ装置３０とは、独立した装置であったが、両方の機能を有する１つの装置であってもよい。
【０１１３】
また、上記実施形態の他の変形例において、サーバ装置３０の機能は、図１１に示したように、納品予定情報送信部６４〜変更候補情報送信部６６を含むことなく、受注情報受付部６１と、納品可能情報受付部６２と、納品予定情報生成処理実行部６３と、変更情報受付部６７と、を含んでいてもよい。
【０１１４】
受注情報受付部６１は、受注した物品の数を表す受注数情報と、その物品の納品が要求される時期を表す納品要求時期情報と、を含む受注情報を受け付ける。
納品可能情報受付部６２は、納品が可能な物品の数を表す納品可能数情報と、その物品の納品が可能となる時期を表す納品可能時期情報と、を含む納品可能情報を受け付ける。
【０１１５】
納品予定情報生成処理実行部６３は、受注情報受付部６１により受け付けられた受注情報に含まれる受注数情報が表す数の物品のそれぞれに対して、その物品が納品される時期を表す納品予定情報を、当該受け付けられた受注情報と、納品可能情報受付部６２により受け付けられた納品可能情報と、に基づいて生成する納品予定情報生成処理を行う。
【０１１６】
変更情報受付部６７は、受注情報を変更するための変更情報を受け付ける。
更に、納品予定情報生成処理実行部６３は、変更情報受付部６７により変更情報が受け付けられる毎に、受注情報受付部６１により受け付けられた受注情報と、納品可能情報受付部６２により受け付けられた納品可能情報と、当該受け付けられた変更情報と、に基づいて納品予定情報生成処理を実行する。
【０１１７】
この変形例によっても、サーバ装置３０は、受注情報を変更するための変更情報を受け付けた場合、直ちに納品予定情報生成処理を実行する。これにより、最新の受注情報を納品予定情報に反映することができる。この結果、受注情報が変更された場合であっても、その変更を直ちに納品予定情報に反映することができる。
【０１１８】
また、上記実施形態の他の変形例として、上述した実施形態及び変形例の任意の組み合わせが採用されてもよい。
【産業上の利用可能性】
【０１１９】
本発明は、物品を受注し受注した物品を納品する業務を管理するための情報を生成する業務管理システム等に適用可能である。
【図面の簡単な説明】
【０１２０】
【図１】特許文献１に記載の情報処理装置が有する課題が生じる状況を概念的に示した説明図である。
【図２】本発明の実施形態に係る情報処理システムの概略構成を表す図である。
【図３】図２に示した情報処理システムの機能の概略を表すブロック図である。
【図４】図２に示したサーバ装置のＣＰＵが実行する生成処理プログラムを示したフローチャートである。
【図５】図２に示したサーバ装置が受け付けた、受注情報、及び、納品可能情報を示したテーブルである。
【図６】図２に示したサーバ装置が生成した納品予定情報を示したテーブルである。
【図７】図２に示したサーバ装置が受け付けた変更候補情報を示したテーブルである。
【図８】図２に示したサーバ装置がレコード分割処理を実行することにより生成された、生成処理用受注情報、及び、生成処理用納品可能情報を示したテーブルである。
【図９】図２に示したサーバ装置が並替処理を実行することにより並び替えられた、生成処理用受注情報、及び、生成処理用納品可能情報を示したテーブルである。
【図１０】情報処理システムの作動を示したシーケンス図である。
【図１１】本発明の実施形態の変形例に係るサーバ装置の機能の概略を表すブロック図である。
【符号の説明】
【０１２１】
１      情報処理システム
１０    受注側端末装置
２０    納品側端末装置
３０    サーバ装置
４１    受注情報送信部
４２    納品予定情報受信部
４３    納品予定情報出力部
４４    変更候補情報受信部
４５    変更情報送信部
５１    納品可能情報送信部
５２    納品予定情報受信部
５３    納品予定情報出力部
５４    変更候補情報送信部
６１    受注情報受付部
６２    納品可能情報受付部
６３    納品予定情報生成処理実行部
６４    納品予定情報送信部
６５    変更候補情報受信部
６６    変更候補情報送信部
６７    変更情報受付部
【図１】
2010079762.tif 000003
【図２】
2010079762.tif 000004
【図３】
2010079762.tif 000005
【図４】
2010079762.tif 000006
【図５】
2010079762.tif 000007
【図６】
2010079762.tif 000008
【図７】
2010079762.tif 000009
【図８】
2010079762.tif 000010
【図９】
2010079762.tif 000011
【図１０】
2010079762.tif 000012
【図１１】
2010079762.tif 000013